(57)【要約】【課題】安価で、広範囲の撮影レンズ装置の提供を可能とする。【解決手段】光の屈折の代わりに反射を利用し、放物線の焦点から出た光線はその放物線に当たると平行に進むという性質を利用して、放物面状にしたハーフミラーを、その焦点に鏡を設置して、外よりの像をハーフミラーを経由して取り込み、鏡に入射、焦点から出たように反射させ、ハーフミラーに戻し、その放物面と焦点の関係の性質、現象により曲げ、並行に結像させる。また余計な像が重ならないように排除させるために所望の像にフィルター特有の色を付け、フィルターを通過させ、それ以外はカットする。また遮光板を使ってカットし余計な像の結像を妨ぐ。【選択図】        図１
2004212721.tif 000002
【特許請求の範囲】
【請求項１】
ハーフミラーを透過してきた入射画像を、鏡で反射させ、もとに戻し、          ハーフミラーで反射させて、画像を結像、再現させる装置。
【請求項２】
ハーフミラーを放物面、鏡をその焦点、球面とした請求項１の装置。
【請求項３】
鏡、焦点の前面、周囲に色変換器、結像面の前部に色変換フィルター          を設けた請求項１の装置。
【請求項４】
ハーフミラーの外側に、焦点の鏡に向けた貫通穴を設けた遮光板を設        置した請求項１の装置。
【発明の詳細な説明】
【０００１】
【発明が属する技術分野】
本発明は、魚眼レンズ等で広範囲に撮影する装置に関するものである。
【０００２】
【従来の技術】
【特許文献１】特許２９９２５４７号
【０００３】
広角レンズ、特に魚眼レンズは構成が複雑である。また光の屈折を利用しているという点があった。
【０００４】
一般用途において、この欠点は日常の維持操作性に関して大きな障害である。具体的には、ガラス製は重たく携帯しにくい。高価である。口径の大きいもの、特に１８０度以上の広角、画角のものは製作が難しいなどの問題があった。
【０００５】
この改善策として、プラスチック製のもの、反射鏡の利用などがある。しかしながら満足のいくものが少ない、の問題があった。
【０００６】
【発明が解決しようとする課題】
解決しようとする問題点は、重く、複雑な構成、１８０度以上の広角、画角の製作の困難性の点である。
【０００７】
【課題を解決するための手段】
本発明は、周囲の立体画像をハーフミラーに取り込み透過させ、その画像を鏡で反射、戻し、そのハーフミラーで反射、投影させて、平面像に変換させる、を最も主要な特徴とする。
【０００８】
【発明の実施の形態】
軽量で、構造簡単、安価なものを最小の部品点数で実現した。
【０００９】
【実施例】
図１は、本発明装置の１実施例の外観斜視図であって、１は円錐状で、周囲、外部の画像を取り込む、断面が、または特に鏡面の反射裏面が放物面状のハーフミラーを、２はその内側、その放物面の焦点に設置した、取り込んだ画像をそのハーフミラー１に反射、戻す表面が球面の鏡を、３はハーフミラー１からの反射像を結ぶフィルム、カメラなどの受像面を表す。ハーフミラー１の表面は放物面であっても、放物面以外のものでもよい。
【００１０】
図２は本発明の原理を説明したもので、１図のａ−ａ矢視図で、入射光の一部を透過させる機能を持つハーフミラー１−２にある角度を持って入射した光、像４−２は一部は入射、透過しそのハーフミラーを貫通していき、対応ミラー部５ー２に当たり、反射して戻り、ハーフミラー１−２に当たり、一部４−２−１は反射し向きを変え、受像面３に当たり結像する。他の像、光４−１、４−３も同様な経路を経る。各像が重ならないように各対応ミラー、各ハーフミラーの角度、位置を調整する。各ミラー面を一つにまとめた、固定されたポリゴンミラー５としてもよい。放物面の焦点から出た光線は放物面に当たると平行に進む、放射角度を変えれば重ならないという性質がある。ハーフミラーの数を増やしていきハーフミラーを放物面１に近づけ、またポリゴンミラー５を放物面１の焦点を中心に持つ球面２に近づけていけば、より高精細になる。もちろん多数の面を持つハーフミラー、ポリゴンミラー、ミラーボールでもよい。またポリゴンミラーに入射したハーフミラー１−２と違うハーフミラー１−４に像、光をぶっつけてもよい。もちろん像は受像面で重ならないようにポリゴンミラーの各対応部、各ハーフミラーの角度を調整する。また重ならないように結像できるのなら放物面でなくともよい。
【００１１】
図３はハーフミラーを放物面１に、ポリゴンミラーを球面２でその中心を放物面１の焦点１−０に設置したものである。ハーフミラーの形状、大きさにより所望の角度、画角θを得られる。より受像面３に結像させるよう光学レンズ６を受像面３の前に設置してもよい。ハーフミラー１、ミラー２の大きさは所望の像が得られるように設定すればよい。ハーフミラー１、ミラー２の材質はその機能を得られるものならなんでもよい。
【００１２】
図４は余計な像、光４−４が受像面３に重なり、映らないようにするもので、ミラー２に入射する所望の像、光、光子を余計な像、光と違う他の色に変換する発光層、発光素子などを持つ変換器またはフィルター７を焦点１−０、ミラー２の周囲に設けたものである。変換器またはフィルター７またはミラー２から出た像、光は受像面３の前に設けた、その像、光のみの色を通す光フィルター８を貫通して受像面に届く。余計な他の像、光４−４はカットされる。
【００１３】
図５は余計な像、光４−４を遮光板９で遮り、カットするものである。所望な像、光はハーフミラーの外部に設けた遮光板９に、その中心がミラー２の中心、焦点に向けてあけられた貫通穴１０を通り、貫通穴１０に密着した、または近辺に設置したハーフミラー１を透過し、ミラー２に入射する。ミラ２ーで反射された像、光はハーフミラーで反射、曲げられ受像面に到達する。貫通穴１０の径、深さ又は遮光板９の厚さ、隣接する貫通穴の間隔はミラー２の大きさと余計な像、光を遮るように、また所望の像、光が受像面３に重ならないように、決めればよい。貫通穴１０の形は丸、四角、多角形等どういうものでもよい
また中が中空で両端が開放されているパイプを焦点に向けて配置し、隙間を光を遮る物質で塞いでもよい。またそのパイプのミラー２側の一端にハーフミラーで塞いだものを配置してもよい。他端を埃が進入しないよう透明な物質例えばプラスチックで塞いでもよい。
【００１４】
図６は遮光板を中心がミラー２の焦点になるように円形、球面９−１にしたものである。貫通穴の中心が焦点に向いていればどういう形状のものでもよい。貫通穴１０を空けやすく、工作し易い。
【００１５】
図７は上から来る像、光４−１がミラーの陰、死角になり受像面３に届かないので、ミラー２の上部から下部にかけて貫通穴をあけ、像、光４−４が届くようにしたものである。死角の原因になるものに穴空け等で光が通るようにする。画角を調整するために光学レンズ１１−１を、またはレンズ１１−２をつけてもよい。ハーフミラー部の明るさと調和するように光量を調整するフィルター１２を設けてもよい。
【００１６】
図８はハーフミラー１を細長く、ミラー２を円柱形にして撮像画像を帯状にしたものである。１３はミラー１，２同士を固定する支持体である。このようにハーフミラー１，ミラー２の形状を変えれば任意の形の画像３を得られる。穴の形の一例として格子状１０−１、円形状１０−２、蜂の巣状、多角形１０−３を示す。
ハーフミラーの作成の一例として板状のものをプレスするとか、プラスチック製なら熱を加えながらすれば安価、大量生産出来る。
以上の本発明装置は受像面を入射光とすれば球面状のスクリーンに投射する映写装置にもなる。
【発明の効果】
以上説明したように本発明は、構造がシンプルで１８０度以上の超広角、画角を得られる。光の反射を利用しているので軽量で持ち運びに便利である。お椀形なので堅牢である。製作が容易で安価である。
【図面の簡単な説明】
【図１】本装置の外観斜視図
【図２】動作、仕組みの説明図
【図３】動作、仕組みの説明図
【図４】動作、仕組みの説明図
【図５】動作、仕組みの説明図
【図６】動作、仕組みの説明図
【図７】動作、仕組みの説明図
【図８】本装置の外観斜視図
【符号の説明】
１    ハーフミラー
１−０  焦点
１−１〜１−４  ハーフミラー
２    反射鏡
３    受像面
４−１〜４−４  像、光
５    ポリゴンミラー
５−１〜５−３  ミラー
６    レンズ
７    変換器、フィルター
８    フィルター
９    遮光板
９−１  遮光板
１０  貫通穴
１０−１〜１０−３  貫通穴
１１−１〜１１−２  レンズ
１２  フィルター
１３  支持体１１
【図１】
2004212721.tif 000003
【図２】
2004212721.tif 000004
【図３】
2004212721.tif 000005
【図４】
2004212721.tif 000006
【図５】
2004212721.tif 000007
【図６】
2004212721.tif 000008
【図７】
2004212721.tif 000009
【図８】
2004212721.tif 000010